(57)【要約】      （修正有）【課題】高速無線通信網との接続品質劣化時における、移動電話網を代用した外部ＷＡＮ上のサーバアクセス完了までの時間を短縮できる「車載システム」を提供する。【解決手段】サーバアクセス要求が発生すると（ｂ）、モバイルWiMAXによるＷＡＮ接続を介したサーバアクセス３１２が開始される。その後、サーバアクセス完了前に、基地局からの受信電波の電界強度がしきい値Ｔｈ未満に低下すると、移動電話機のダイアルアップ接続によるＷＡＮ接続処理３２１が開始される。そして、モバイルWiMAXによるＷＡＮ接続の品質が劣化により、サーバアクセス３１２が失敗したならば、その時点までに確立している移動電話機のダイアルアップ接続によるＷＡＮ接続を用いたサーバアクセス３２２が開始され、サーバアクセスが完了したならば、ダイアルアップ接続によるＷＡＮ接続が解除される（３２３）。【選択図】図３
2010074335.tif 000002
【特許請求の範囲】
【請求項１】
自動車に搭載された車載システムであって、
移動電話網を介して外部のＷＡＮにダイアルアップ接続する移動電話機と接続する移動電話機インタフェースと、
前記移動電話網と異なる無線通信網を介して外部のＷＡＮに接続する無線通信装置と、
前記無線通信装置を用いた前記外部のＷＡＮ上のサーバへのアクセスを制御すると共に、前記無線通信装置を用いた前記外部のＷＡＮ上のサーバへのアクセスの失敗が発生したときに、前記移動電話機インタフェースに接続された前記移動電話機の前記外部のＷＡＮとのダイアルアップ接続を用いた前記外部のＷＡＮ上のサーバへのアクセスを制御するアクセス制御手段とを有し、
前記アクセス制御手段は、前記無線通信装置を用いた前記外部のＷＡＮ上のサーバへのアクセス処理中に、前記無線通信装置と前記無線通信網との通信品質が所定レベル以上劣化したときに、前記移動電話機インタフェースに接続された前記移動電話機に、前記外部のＷＡＮとのダイアルアップ接続処理を、前記無線通信装置を用いた前記外部のＷＡＮ上のサーバへのアクセスの失敗の発生に先行して開始させることを特徴とする車載システム。
【請求項２】
請求項１記載の車載システムであって、
前記無線通信装置が前記無線通信網から受信する電波の電界強度を検出する受信レベル検出手段を有し、
前記アクセス制御手段は、前記受信レベル検出手段が検出した電界強度に基づいて、前記無線通信装置と前記無線通信網との通信品質を判定することを特徴とする車載システム。
【請求項３】
請求項１または２記載の車載システムであって、
前記アクセス制御手段は、前記無線通信装置と前記無線通信網との通信品質が所定レベル以上劣化したときに、前記移動電話機インタフェースに接続された前記移動電話機に、前記外部のＷＡＮとのダイアルアップ接続処理を開始させた後、前記無線通信装置を用いた前記外部のＷＡＮ上のサーバへのアクセスの失敗が発生する前に、前記無線通信装置と前記無線通信網との通信品質が所定レベル以上良好なレベルに復帰した場合に、前記移動電話機インタフェースに接続された前記移動電話機に、前記外部のＷＡＮとのダイアルアップ接続を解除させることを特徴とする車載システム。
【請求項４】
外部のＷＡＮ上の通信装置にアクセスする通信システムであって、
移動電話網を介して前記ＷＡＮにダイアルアップ接続する第１通信装置と、
前記移動電話網と異なる無線通信網を介して前記ＷＡＮに接続する第２通信装置と、
前記第２通信装置を用いた前記ＷＡＮ上の通信装置へのアクセスを制御すると共に、前記第２通信装置を用いた前記ＷＡＮ上の他の通信装置へのアクセスの失敗が発生したときに、前記第１通信装置の前記ＷＡＮとのダイアルアップ接続を用いた前記ＷＡＮ上の他の通信装置へのアクセスを制御するアクセス制御手段とを有し、
前記アクセス制御手段は、前記第２通信装置を用いた前記ＷＡＮ上の他の通信装置へのアクセス処理中に、前記第２通信装置と前記無線通信網との通信品質が所定レベル以上劣化したときに、前記第１通信装置に、前記ＷＡＮとのダイアルアップ接続処理を、前記第２通信装置を用いた前記ＷＡＮ上の他の通信装置へのアクセスの失敗の発生に先行して開始させることを特徴とする通信システム。
【請求項５】
移動電話網を介して外部のＷＡＮにダイアルアップ接続する移動電話機と接続する移動電話機インタフェースと、前記移動電話網と異なる無線通信網を介して外部のＷＡＮに接続する無線通信装置とを備えた、自動車に搭載された車載システムにおいて、前記外部のＷＡＮ上のサーバへのアクセスを制御するアクセス制御方法であって、
前記無線通信装置を用いた前記外部のＷＡＮ上のサーバへのアクセスを開始するステップと、
前記無線通信装置を用いた前記外部のＷＡＮ上のサーバへのアクセス処理中に、前記無線通信装置と前記無線通信網との通信品質が所定レベル以上劣化したときに、前記移動電話機インタフェースに接続された前記移動電話機に、前記外部のＷＡＮとのダイアルアップ接続処理を開始させるステップと、
前記無線通信装置を用いた前記外部のＷＡＮ上のサーバへのアクセスの失敗が発生したときに、前記移動電話機インタフェースに接続された前記移動電話機の前記外部のＷＡＮとのダイアルアップ接続を用いた前記外部のＷＡＮ上のサーバへのアクセスを実行するステップとを有することを特徴とするアクセス制御方法。
【発明の詳細な説明】
【技術分野】
【０００１】
本発明は、自動車に搭載された車載システムにおいて外部と通信に用いる通信網を選択する技術に関するものである。
【背景技術】
【０００２】
自動車に搭載された車載システムにおいて、外部と通信を行う技術としては、車載システムに接続された移動電話機（「携帯電話」とも呼称される）を用いて移動電話網に接続し、移動電話網を介して外部のサーバと通信を行う技術（たとえば、特許文献１）や、外部のアクセスポイントに無線ＬＡＮを介して接続し、無線ＬＡＮを介して外部のサーバと通信を行う技術（たとえば、特許文献２）が知られている。
【０００３】
また、本発明に関連する技術としては、携帯通信端末において、移動電話網と無線ＬＡＮとのうちの一方を選択的に通信に用いる技術（たとえば、特許文献３）も知られている。この技術では、無線ＬＡＮに接続可能なときには、無線ＬＡＮを優先的に使用するようにしている。
【特許文献１】特開平11-328580号公報
【特許文献２】特開2003-308370号公報
【特許文献３】特開2003-110751号公報
【発明の開示】
【発明が解決しようとする課題】
【０００４】
近年、モバイルWiMAX（IEEE802.16e）と呼ばれる移動体通信に対応する比較的高速な無線通信網の実用化が進んでいる。なお、「WiMAX」は、「WiMAX Forum」の登録商標である。
モバイルWiMAXによれば、移動電話網による通信よりも高速な通信が可能であるため、車載システムにおいては、外部との通信には、移動電話網よりもモバイルWiMAXを利用することが好ましい。
しかしながら、現状において、モバイルWiMAXの普及は進んでおらず、モバイルWiMAXを利用できない地域が存在する。
そして、このために、車載システムにおいてモバイルWiMAXを利用して外部ネットワーク上のサーバとの通信を開始した後に、自動車がモバイルWiMAXを利用できない地域に移動すると、モバイルWiMAXを利用した通信が失敗してしまうことになる。そして、この場合において、車載システムにおいて、モバイルWiMAXを利用した通信が失敗した後に、移動電話網を利用した外部ネットワーク上のサーバとの通信を行うようにすると、ダイアルアップ接続により実現される移動電話網を利用した外部ネットワークとの接続には時間がかかるために、サーバとの通信完了までに長時間を要してしまうことになるという問題が生じる。
【０００５】
そこで、本発明は、モバイルWiMAXのような無線通信網を外部との通信に用いる車載システムにおいて、外部ネットワーク上の通信相手との通信を開始した後に、自動車が無線通信網を利用できない地域に移動した場合に、より短時間に、移動電話網を代用して、当該通信相手との通信を完了できるようにすることを課題とする。
【課題を解決するための手段】
【０００６】
前記課題達成のために、本発明は、自動車に搭載された車載システムに、移動電話網を介して外部のＷＡＮにダイアルアップ接続する移動電話機と接続する移動電話機インタフェースと、前記移動電話網と異なる無線通信網を介して外部のＷＡＮに接続する無線通信装置と、前記無線通信装置を用いた前記外部のＷＡＮ上のサーバへのアクセスを制御すると共に、前記無線通信装置を用いた前記外部のＷＡＮ上のサーバへのアクセスの失敗が発生したときに、前記移動電話機インタフェースに接続された前記移動電話機の前記外部のＷＡＮとのダイアルアップ接続を用いた前記外部のＷＡＮ上のサーバへのアクセスを制御するアクセス制御手段とを備え、前記アクセス制御手段において、前記無線通信装置を用いた前記外部のＷＡＮ上のサーバへのアクセス処理中に、前記無線通信装置と前記無線通信網との通信品質が所定レベル以上劣化したときに、前記移動電話機インタフェースに接続された前記移動電話機に、前記外部のＷＡＮとのダイアルアップ接続処理を、前記無線通信装置を用いた前記外部のＷＡＮ上のサーバへのアクセスの失敗の発生に先行して開始させるようにしたものである。
【０００７】
ここで、このような車載システムには、前記無線通信装置が前記無線通信網から受信する電波の電界強度を検出する受信レベル検出手段を設け、前記アクセス制御手段において、前記受信レベル検出手段が検出した電界強度に基づいて、前記無線通信装置と前記無線通信網との通信品質を判定するように構成してもよい。
【０００８】
また、このような車載システムは、前記アクセス制御手段において、前記無線通信装置と前記無線通信網との通信品質が所定レベル以上劣化したときに、前記移動電話機インタフェースに接続された前記移動電話機に、前記外部のＷＡＮとのダイアルアップ接続処理を開始させた後、前記無線通信装置を用いた前記外部のＷＡＮ上のサーバへのアクセスの失敗が発生する前に、前記無線通信装置と前記無線通信網との通信品質が所定レベル以上良好なレベルに復帰した場合に、前記移動電話機インタフェースに接続された前記移動電話機に、前記外部のＷＡＮとのダイアルアップ接続を解除させるように構成してもよい。
【０００９】
これらのような車載システムによれば、前記無線通信装置を用いた前記外部のＷＡＮ上のサーバへのアクセスの失敗が発生する前に、前記無線通信装置と前記無線通信網との通信品質が所定レベル以上劣化したときに、前記移動電話機インタフェースに接続された前記移動電話機に、前記外部のＷＡＮとのダイアルアップ接続処理を開始させるので、前記無線通信装置を用いた前記外部のＷＡＮ上のサーバへのアクセスの失敗が発生した時点で、先行して開始しておいたダイアルアップ接続処理によって確立された外部のＷＡＮとのダイアルアップ接続を用いて、すみやかにサーバアクセスを行えるようになる。
【００１０】
よって、無線通信網を外部との通信に用いる車載システムにおいて、外部のＷＡＮ上のサーバへのアクセスを開始した後に、自動車が無線通信網を利用できない地域に移動したときに、サーバへのアクセスの失敗が発生してからダイアルアップ接続処理を開始する場合に比べ、より短時間に、サーバへのアクセスを完了できるようになる。
【００１１】
なお、以上の車載システムの構成は、移動電話網を介して外部のＷＡＮにダイアルアップ接続する第１通信装置と、前記移動電話網と異なる無線通信網を介して前記ＷＡＮに接続する第２通信装置とを備え、前記ＷＡＮ上の任意の通信装置にアクセスする通信システムにも適用することができる。すなわち、この場合には、前記第２通信装置を用いた前記ＷＡＮ上の他の通信装置へのアクセスを制御すると共に、前記第２通信装置を用いた前記ＷＡＮ上の他の通信装置へのアクセスの失敗が発生したときに、前記第１通信装置の前記ＷＡＮとのダイアルアップ接続を用いた前記ＷＡＮ上の他の通信装置へのアクセスを制御するアクセス制御手段を通信システムに設けると共に、当該アクセス制御手段において、前記第２通信装置を用いた前記ＷＡＮ上の他の通信装置へのアクセス処理中に、前記第２通信装置と前記無線通信網との通信品質が所定レベル以上劣化したときに、前記第１通信装置に、前記ＷＡＮとのダイアルアップ接続処理を、前記第２通信装置を用いた前記ＷＡＮ上の通信装置へのアクセスの失敗の発生に先行して開始させるようにすればよい。
【発明の効果】
【００１２】
以上のように、本発明によれば、モバイルWiMAXのような無線通信網を外部との通信に用いる車載システムにおいて、外部ネットワーク上の通信相手との通信を開始した後に、自動車が無線通信網を利用できない地域に移動した場合に、より短時間に、移動電話網を代用して当該通信相手との通信を完了できるようになる。
【発明を実施するための最良の形態】
【００１３】
以下、本発明の実施形態を説明する。
図１に、本実施形態に係る車載システム１００の構成を示す。
図示するように、車載システム１００は、Bluetooth/IEEE802.15.1(「Bluetooth」は、「ザ  ブルートゥース  エスアイジー  インコーポレーテッド」の登録商標）などの近距離無線通信や有線通信を介して移動電話機２と接続する移動電話機インタフェース１１１、モバイルWiMAX（IEEE802.16e）による無線通信を介してインターネットなどのＷＡＮ３００に接続するモバイルWiMAXインタフェース１１２、制御部１１３、メモリ１１４、表示装置１１５、操作部１１６、ＧＰＳ受信機１１８や車両センサ１１９を備えたナビゲーション装置１１７を備えている。
【００１４】
ここで、車両センサ１１９は、車速センサや角速度センサなどの車両の各種走行状態を検出するセンサである。また、移動電話機２は、移動電話網を介してＷＡＮ３００にダイアルアップ接続で接続する機能を備えている。
このような車載システム１００において、制御部１１３は、モバイルWiMAXインタフェース１１２や移動電話機２を介してＷＡＮ３００を介したデータ通信を行う。このデータ通信によって、制御部１１３は、たとえば、ＷＡＮ３００上に配置された情報サーバ４００からの交通情報などの各種情報の受信などを行う。
【００１５】
次に、ナビゲーション装置１１７は、地図データを備え、地図データに基づいて、ＧＰＳ受信機１１８や車両センサ１１９の出力から現在位置を算出したり、操作部１１６で受け付けた目的地までの推奨される経路を、地図データを参照して探索して誘導ルートとして設定したり、地図データが表す地図上に現在位置や目的地や誘導ルートを表した案内画像を表示装置１１５に表示する処理などを行う。ここで、ナビゲーション装置１１７は、制御部１１３が情報サーバ４００から取得した交通情報が表す渋滞の発生状況を考慮して、最短時間で目的地に到達できる経路を、誘導ルートとして探索する他、これらの交通情報が表す渋滞の発生状況の変化に応じて目的地までの推奨される経路を再探索して誘導ルートとして再設定する処理を行う。また、ナビゲーション装置１１７は、これらの交通情報が表す渋滞の発生状況を案内画像上に表示する処理などを行う。
【００１６】
さて、このような車載システム１００において、制御部１１３は、前述したＷＡＮ３００上に配置された情報サーバ４００からの交通情報の取得などの、ＷＡＮ３００上の各種サーバへのアクセスを、図２に示すサーバアクセス処理によって実行する。
すなわち、このサーバアクセス処理では、サーバアクセスの要求が発生すると（ステップ２０２）、モバイルWiMAXインタフェース１１２が現在、モバイルWiMAXの基地局に接続可能であるかどうかを調べ（ステップ２０４）、接続可能でなければ、移動電話機インタフェース１１１を介して移動電話機２を制御して、移動電話網を介してＷＡＮ３００にダイアルアップ接続する（ステップ２２０）、そして、ダイアルアップ接続によるＷＡＮ接続を用いてサーバへのアクセスを開始し（ステップ２３０）、サーバへのアクセスが完了したならば（ステップ２３２）、ダイアルアップ接続によるＷＡＮ接続を解除し（ステップ２１８）、処理を終了する。
【００１７】
一方、ステップ２０４で、モバイルWiMAXの基地局に接続可能であると判定された場合には、モバイルWiMAXインタフェース１１２を制御して、接続可能な基地局を介してＷＡＮ３００に接続する（ステップ２０６）。ただし、既に、モバイルWiMAXによるＷＡＮ接続が行われている場合には、ステップ２０６の処理は行う必要はない。そして、モバイルWiMAXによるＷＡＮ接続を用いて、サーバへのアクセスを開始する（ステップ２０８）。
【００１８】
そして、ダイアルアップ接続によるＷＡＮ接続が確立していない又はダイアルアップ接続によるＷＡＮ接続を確立しようとしていない状態において、その時点で接続可能な全ての基地局からの、モバイルWiMAXインタフェース１１２における受信電波の電界強度の全てがしきい値Ｔｈ未満である状態の発生（ステップ２１０）と、ダイアルアップ接続によるＷＡＮ接続が確立している又はダイアルアップ接続によるＷＡＮ接続を確立しようとしている状態において、その時点で接続可能ないずれかの基地局からの、モバイルWiMAXインタフェース１１２における受信電波の電界強度がしきい値Ｔｈ以上である状態の発生（ステップ２１２）と、サーバへのアクセスの失敗の発生（ステップ２１４）と、サーバへのアクセスの完了の発生（ステップ２１６）を監視する。
【００１９】
ここで、モバイルWiMAXは、基地局のハンドオーバー（乗り換え）が可能であり、ＷＡＮ接続中にモバイルWiMAXインタフェース１１２が接続する基地局は、自動車の移動に伴って変化する。そして、ステップ２１０、２１２で受信電波の電界強度を判定する、その時点で接続可能な基地局とは、モバイルWiMAXインタフェース１１２が、その時点で接続している基地局と、モバイルWiMAXインタフェース１１２が接続を切り替えることのできる基地局を指す。また、しきい値Ｔｈは、モバイルWiMAXインタフェース１１２によって正常に基地局と通信できなくなる受信電波の電界強度に所定のマージンを加えた値とする。
【００２０】
さて、ダイアルアップ接続によるＷＡＮ接続が確立していない又はダイアルアップ接続によるＷＡＮ接続を確立しようとしていない状態において、その時点で接続可能な全ての基地局からの、モバイルWiMAXインタフェース１１２における受信電波の電界強度の全てがしきい値Ｔｈ未満である状態が発生したならば（ステップ２１０）、移動電話機インタフェース１１１を介して移動電話機２に、移動電話網を介したＷＡＮ３００にダイアルアップ接続を開始させ（ステップ２２２）、ステップ２１０-２１６の監視に戻る。
【００２１】
一方、ステップ２１０-２１６の監視中に、ダイアルアップ接続によるＷＡＮ接続が確立している又はダイアルアップ接続によるＷＡＮ接続を確立しようとしている状態において、その時点で接続可能ないずれかの基地局からの、モバイルWiMAXインタフェース１１２における受信電波の電界強度がしきい値Ｔｈ以上である状態が発生した場合には（ステップ２１２）、移動電話機インタフェース１１１を介して移動電話機２に、移動電話網を介したＷＡＮ３００にダイアルアップ接続を解除させ（ステップ２２４）、ステップ２１０-２１６の監視に戻る。
【００２２】
一方、ステップ２１０-２１６の監視中に、サーバへのアクセスの失敗が発生した場合には（ステップ２１４）、ステップ２２６に進む。ここで、サーバへのアクセスの失敗は、基地局からの受信電波の電界強度の低下などによりモバイルWiMAXによるＷＡＮ接続の品質が劣化し、サーバからアクセス要求に対する応答が所定期間以上受信できなくなった場合などに発生する。
【００２３】
そして、ステップ２１０-２１６の監視中に、サーバへのアクセスの完了が発生した場合には（ステップ２１６）、ダイアルアップ接続によるＷＡＮ接続が確立している場合には、当該ＷＡＮ接続を解除し（ステップ２１８）、処理を終了する。
次に、サーバへのアクセスの失敗が発生しステップ２１４からステップ２２６に進んだならば、現在、ダイアルアップ接続によるＷＡＮ接続が確立している又はダイアルアップ接続によるＷＡＮ接続を確立しようとしている状態かどうかを調べ（ステップ２２６）、ダイアルアップ接続によるＷＡＮ接続が確立している又はダイアルアップ接続によるＷＡＮ接続を確立しようとしている状態であれば（ダイアルアップ接続によるＷＡＮ接続を確立しようとしている状態の場合にはダイアルアップ接続によるＷＡＮ接続の確立後に）、ダイアルアップ接続によるＷＡＮ接続を用いてサーバへのアクセスを開始し（ステップ２３０）、サーバへのアクセスが完了したならば（ステップ２３２）、ダイアルアップ接続によるＷＡＮ接続を解除し（ステップ２１８）、処理を終了する。一方、ダイアルアップ接続によるＷＡＮ接続が確立していない又はダイアルアップ接続によるＷＡＮ接続を確立しようとしていなければ（ステップ２２６）、移動電話機インタフェース１１１を介して移動電話機２を制御して、移動電話網を介してＷＡＮ３００にダイアルアップ接続した上で（ステップ２２８）、ダイアルアップ接続によるＷＡＮ接続を用いてサーバへのアクセスを開始し（ステップ２３０）、サーバへのアクセスが完了したならば（ステップ２３２）、ダイアルアップ接続によるＷＡＮ接続を解除し（ステップ２１８）、処理を終了する。
【００２４】
以上、制御部１１３が行うサーバアクセス処理について説明した。
次に、このようなサーバアクセス処理による、ＷＡＮ３００上のサーバへのアクセス動作例について説明する。
図３ａは、サーバアクセス要求発生時にモバイルWiMAXインタフェース１１２が基地局に接続可能であって、サーバアクセスを行っている期間中、モバイルWiMAXによるＷＡＮ接続の品質が良好に維持された場合についてのものである。
この場合、図示するように、モバイルWiMAXインタフェース１１２によるＷＡＮ接続が確立していないときには、まず、モバイルWiMAXインタフェース１１２によるＷＡＮ３００への接続処理３０１が行われ、モバイルWiMAXによるＷＡＮ接続が確立したならば、ＷＡＮ接続を介したサーバアクセス３０２が開始される。そして、サーバとの所用のデータ通信を行ってサーバアクセスが完了する。
【００２５】
次に、図３ｂは、サーバアクセス要求発生時にモバイルWiMAXインタフェース１１２が基地局に接続可能であって、サーバアクセスを行っている期間中に、モバイルWiMAXによるＷＡＮ接続の品質が劣化し、サーバアクセスが失敗した場合についてのものである。
この場合、モバイルWiMAXインタフェース１１２によるＷＡＮ接続が確立していないときには、まず、モバイルWiMAXインタフェース１１２によるＷＡＮ３００への接続処理３１１が行われ、モバイルWiMAXによるＷＡＮ接続が確立したならば、ＷＡＮ接続を介したサーバアクセス３１２が開始される。
【００２６】
そして、基地局からの受信電波の電界強度のしきい値Ｔｈ未満への低下によりモバイルWiMAXによるＷＡＮ接続の品質が劣化した時点で、移動電話機２のダイアルアップ接続によるＷＡＮ接続処理３２１が開始される。
そして、その後、モバイルWiMAXによるＷＡＮ接続の品質が劣化により、サーバからの応答が所定期間以上受信できずに、サーバアクセス３１２が失敗したならば、その時点までに確立している移動電話機２のダイアルアップ接続によるＷＡＮ接続を用いたサーバアクセス３２２が開始される。そして、サーバとの所用のデータ通信を行ってサーバアクセスが完了したならば、ダイアルアップ接続によるＷＡＮ接続が解除される３２３。
【００２７】
ここで、図示するように移動電話機２のダイアルアップ接続によるＷＡＮ接続処理には、比較的長時間を要する。したがって、図示するように、基地局からの受信電波の電界強度のしきい値Ｔｈ未満への低下によりモバイルWiMAXによるＷＡＮ接続の品質が劣化した時点で、サーバアクセスの失敗の発生に先立って、移動電話機２のダイアルアップ接続によるＷＡＮ接続処理を開始することにより、モバイルWiMAXによるＷＡＮ接続を介したサーバアクセス３１２が失敗してから、移動電話機２のダイアルアップ接続によるＷＡＮ接続処理を開始する場合に比べ、サーバアクセス完了までの時間を短縮することができる。
【００２８】
次に、図３ｃは、サーバアクセス要求発生時にモバイルWiMAXインタフェース１１２が基地局に接続可能であって、サーバアクセスを行っている期間中に、モバイルWiMAXによるＷＡＮ接続の品質が劣化したが、その後、サーバアクセスが失敗する前に、モバイルWiMAXによるＷＡＮ接続の品質が良好なレベルに復帰した場合についてのものである。
【００２９】
この場合、モバイルWiMAXインタフェース１１２によるＷＡＮ接続が確立していないときには、まず、モバイルWiMAXインタフェース１１２によるＷＡＮ３００への接続処理３３１が行われ、モバイルWiMAXによるＷＡＮ接続が確立したならば、モバイルWiMAXによるＷＡＮ接続を介したサーバアクセス３３２が開始される。
【００３０】
そして、基地局からの受信電波の電界強度のしきい値Ｔｈ未満への低下によりモバイルWiMAXによるＷＡＮ接続の品質が劣化した時点で、移動電話機２のダイアルアップ接続によるＷＡＮ接続処理３４１が開始され、ダイアルアップ接続によるＷＡＮ接続が確立される。
【００３１】
そして、その後、モバイルWiMAXによるＷＡＮ接続を介したサーバアクセス３３２が失敗する前に、基地局からの受信電波の電界強度のしきい値Ｔｈ以上への復帰によりモバイルWiMAXによるＷＡＮ接続の品質が良好なレベルに復帰した時点で、移動電話機２のダイアルアップ接続によるＷＡＮ接続は解除される３４２。また、モバイルWiMAXによるＷＡＮ接続を介したサーバアクセス３３２が失敗することなく完了することとなる。
【００３２】
ところで、以上のサーバアクセス処理は、サーバアクセス要求発生時（ステップ２０２）に、モバイルWiMAXによる基地局との接続ができない場合に（ステップ２０４）は、ステップ２２０で移動電話機２のダイアルアップ接続処理を行う際に、ダイアルアップ接続完了前に、モバイルWiMAXによる基地局との接続が可能となったならば、ダイアルアップ接続を中止し、ステップ２０６に進んで、モバイルWiMAXによるＷＡＮ接続を確立して、以降の、モバイルWiMAXによるＷＡＮ接続を介したサーバアクセスの開始（ステップ２０８）等の処理を行うようにしてもよい。
【００３３】
以上、本発明の実施形態について説明した。
なお、以上では、自動車に搭載される車載システム１００への適用を例にとり説明したが、本実施形態におけるサーバアクセス処理は、移動電話網を介したダイアルアップ接続によるＷＡＮ接続と、モバイルWiMAXによるＷＡＮ接続の双方を行うことのできる任意の通信システムに同様に適用することができる。また、サーバ以外のＷＡＮ３００上の任意の通信装置にアクセスする場合に同様に適用することができる。
【００３４】
また、本実施形態におけるモバイルWiMAXによる無線通信網は、WiMAXによる無線通信網や無線ＬＡＮなどの、移動電話網以外の任意の無線通信網に置き換えるようにしてもよい。
【図面の簡単な説明】
【００３５】
【図１】本発明の実施形態に係る車載システムの構成を示すブロック図である。
【図２】本発明の実施形態に係るサーバアクセス処理を示すフローチャートである。
【図３】本発明の実施形態に係るサーバアクセス処理の処理例を示す図である。
【符号の説明】
【００３６】
２…移動電話機、１００…車載システム、１１１…移動電話機インタフェース、１１２…インタフェース、１１３…制御部、１１４…メモリ、１１５…表示装置、１１６…操作部、１１７…ナビゲーション装置、１１８…ＧＰＳ受信機、１１９…車両センサ、３００…ＷＡＮ、４００…情報サーバ。
【図１】
2010074335.tif 000003
【図２】
2010074335.tif 000004
【図３】
2010074335.tif 000005